【手続補正書】
【提出日】平成27年4月2日(2015.4.2)
【手続補正１】
【補正対象書類名】特許請求の範囲
【補正対象項目名】全文
【補正方法】変更
【補正の内容】
【特許請求の範囲】
【請求項１】
参照光と被検眼を経由した測定光との干渉光から断層画像を得る光干渉断層撮影装置であって、
前記光干渉断層撮影装置の着脱可能な装着部材の有無を検知する検知手段と、
前記被検眼の断層画像が撮影された際の前記検知手段で得られた前記着脱可能な装着部材の有無の情報と前記断層画像とを関連付けて記憶する記憶手段と、
前記記憶手段に記憶された前記着脱可能な装着部材の有りの情報が関連付けられた前記断層画像に基づいて前記被検眼を再度撮影する場合に、前記検知手段で前記着脱可能な装着部材が装着されていないことが検知された場合に前記被検眼の断層画像の撮影を制限する制御手段と、
を有することを特徴とする光干渉断層撮影装置。
【請求項２】
前記着脱可能な装着部材は、前眼撮影用レンズ、顎を受ける部材の少なくともいずれかであることを特徴とする請求項１に記載の光干渉断層撮影装置。
【請求項３】
前記制御手段は、前記検知手段で前記着脱可能な装着部材が装着されていないことが検知された場合に前記被検眼の断層画像の撮影を禁止する制御をすることを特徴とする請求項１又は２に記載の光干渉断層撮影装置。
【請求項４】
前記記憶手段は、前記被検眼の断層画像が撮影された際の前記参照光と前記測定光の光路長差に関連する情報を更に記憶しており、
前記制御手段は、前記検知手段で前記着脱可能な装着部材が装着されていることが検知された場合に前記記憶手段に記憶する光路長差に制御することを特徴とする請求項１乃至３のいずれか一項に記載の光干渉断層撮影装置。
【請求項５】
前記記憶手段は、前記被検眼の断層画像が撮影された際の前記参照光と前記測定光の光路長差に関連する情報を更に記憶しており、
前記制御手段は、前記検知手段で前記着脱可能な装着部材が装着されていないことが検知された場合に光路長差を調整する制御を禁止することを特徴とする請求項１乃至３のいずれか一項に記載の光干渉断層撮影装置。
【請求項６】
前記記憶手段は、前記被検眼の断層画像が撮影された際の撮影用画面の情報を更に記憶しており、
前記制御手段は、前記記憶手段に記憶された情報に基づいて前記撮影用画面の表示形態を変更することを特徴とする請求項１乃至４に記載の光干渉断層撮影装置。
【請求項７】
前記制御手段は、前記検知手段で前記着脱可能な装着部材が装着されていないことが検知された場合に前記撮影用画面に警告表示をすることを特徴とする請求項６に記載の光干渉断層撮影装置。
【請求項８】
前記記憶手段は、前記被検眼の断層画像が撮影された際の断層画像の撮影された位置情報を更に記憶しており、前記被検眼を再度撮影する場合に撮影用画面に前記位置情報を表示することを特徴とする請求項１乃至７に記載の光干渉断層撮影装置。
【請求項９】
前記記憶手段は、前記被検眼の前記断層画像が撮影された際に前記被検眼の二次元像を関連付けて更に記憶しており、前記被検眼を再度撮影する場合に撮影用画面に前記二次元像を表示することを特徴とする請求項１乃至８に記載の光干渉断層撮影装置。
【請求項１０】
参照光と被検眼を経由した測定光との干渉光から断層画像を得る光干渉断層撮影装置の制御方法であって、
前記光干渉断層撮影装置の着脱可能な装着部材の有無を検知する検知工程と、
前記被検眼の断層画像が撮影された際の前記検知工程で得られた前記着脱可能な装着部材の有無の情報と前記断層画像とを関連付けて記憶する記憶工程と、
前記記憶工程で記憶された前記着脱可能な装着部材の有りの情報が関連付けられた前記断層画像に基づいて前記被検眼を再度撮影する場合に、前記着脱可能な装着部材が装着されていないことが検知された場合に前記被検眼の断層画像の撮影を制限する制御工程と、
を有することを特徴とする干渉断層撮影装置の制御方法。
【請求項１１】
請求項１０に記載の制御方法を実行するためのコンピュータプログラム。
【請求項１２】
光源と、
前記光源からの光を参照光学系と撮影光学系に分岐する部材と、
前記参照光学系の戻り光と前記撮影光学系を介して被検眼を経由した測定光との干渉光から断層画像を得る信号処理部と、
前記光干渉断層撮影装置の着脱可能な装着部材の有無を検知する検知部と、
前記被検眼の断層画像が撮影された際の前記検知部で得られた前記着脱可能な装着部材の有無の情報と前記断層画像とを関連付けて記憶する記憶部と、
前記記憶部に記憶された前記着脱可能な装着部材の有無の情報が関連付けられた前記断層画像に基づいて前記被検眼を再度撮影する場合に、前記検知部で検知される前記着脱可能な装着部材の有無と反する場合に前記被検眼の断層画像の撮影を禁止する制御をする制御部と、
を有することを特徴とする光干渉断層撮影装置。
【手続補正２】
【補正対象書類名】明細書
【補正対象項目名】０００５
【補正方法】変更
【補正の内容】
【０００５】
しかしながら、複数の領域を撮影する場合に、撮影装置の状態が必ずしも撮影対象にあったものとなっていない場合があった。
【手続補正３】
【補正対象書類名】明細書
【補正対象項目名】０００７
【補正方法】変更
【補正の内容】
【０００７】
そこで、本発明の実施形態に係る光干渉断層装置は、
参照光と被検眼を経由した測定光との干渉光から断層画像を得る光干渉断層撮影装置であって、
前記光干渉断層撮影装置の着脱可能な装着部材の有無を検知する検知手段と、
前記被検眼の断層画像が撮影された際の前記検知手段で得られた前記着脱可能な装着部材の有無の情報と前記断層画像とを関連付けて記憶する記憶手段と、
前記記憶手段に記憶された前記着脱可能な装着部材の有りの情報が関連付けられた前記断層画像に基づいて前記被検体を再度撮影する場合に、前記検知手段で前記着脱可能な装着部材が装着されていないことが検知された場合に前記被検眼の断層画像の撮影を制限する制御手段と、
を有することを特徴とする。
【手続補正４】
【補正対象書類名】明細書
【補正対象項目名】００１１
【補正方法】変更
【補正の内容】
【００１１】
［装置の全体構成］
図１は、本実施形態における光干渉断層撮影装置の構成を示す図である。本実施形態に係る光干渉断層撮影装置は、波長掃引型の光源からの光を、参照光と被写体を経由する測定光に分割し、これら２つの光束の干渉光から断層画像を得る光干渉断層撮影装置である。実施形態に係る光干渉断層撮影装置は、ＳＳ−ＯＣＴ（Ｓｗｅｐｔ  Ｓｏｕｒｃｅ  ＯＣＴ；以下、ＯＣＴ）１００、走査型検眼鏡（Ｓｃａｎｎｉｎｇ  Ｌａｓｅｒ  Ｏｐｈｔｈａｌｍｏｓｃｏｐｅ：以下、ＳＬＯ）１４０、前眼部撮像部１６０、内部固視灯１７０、制御部２００を有する。
【手続補正５】
【補正対象書類名】明細書
【補正対象項目名】００１３
【補正方法】変更
【補正の内容】
【００１３】
＜ＯＣＴ１００の構成＞
ＯＣＴ１００は、波長掃引型の光源からの光により前記被検眼の前記撮影対象の部位を走査することにより断層画像を撮影する撮影部として機能する。ＯＣＴ１００の構成について説明する。
【手続補正６】
【補正対象書類名】明細書
【補正対象項目名】００１４
【補正方法】変更
【補正の内容】
【００１４】
光源１０１は、波長を変化させることが可能な波長掃引型光源であり、例えば、中心波長１０４０ｎｍ、バンド幅１００ｎｍの光を出射する。光源１０１から出射された光は、ファイバ１０２、偏光コントローラ１０３を介して、ファイバカップラ１０４に導かれ、光量を測定するファイバ１３０とＯＣＴ測定するファイバ１０５に分岐される。光源１０１から出射された光は、ファイバ１３０を介し、ＰＭ（Ｐｏｗｅｒ  Ｍｅｔｅｒ）１３１にてパワーが測定される。ファイバ１０５を介した光は、第二のファイバカップラ１０６に導かれる。ファイバカップラ１０６は光源１０１からの光が伝送される光路を参照光路と測定光路とに分割する分割部として機能する。これにより光源からの光は、測定光（ＯＣＴ測定光とも言う）と参照光に分岐される。偏光コントローラ１０３は、光源１０１から出射された光の偏光の状態を調整するものであり、直線偏光に調整される。ファイバカップラ１０４の分岐比は、９９：１であり、ファイバカップラ１０６の分岐比は、９０（参照光）：１０（測定光）である。
【手続補正７】
【補正対象書類名】明細書
【補正対象項目名】００１５
【補正方法】変更
【補正の内容】
【００１５】
ファイバカップラ１０６で分岐された測定光は、ファイバ１１８を介してコリメータ１１７から平行光として出射される。出射された測定光は、眼底Ｅｒにおいて測定光を水平方向にスキャンするガルバノミラーから構成されるＸスキャナ１０７、レンズ１０８、１０９、眼底Ｅｒにおいて測定光を垂直方向にスキャンするガルバノミラーから構成されるＹスキャナ１１０を介し、ダイクロイックミラー１１１に到達する。Ｘスキャナ１０７、Ｙスキャナ１１０は、駆動制御部１８０により制御され、眼底Ｅｒで所望の範囲の領域を測定光により走査することができる。ダイクロイックミラー１１１は、９５０ｎｍ〜１１００ｎｍの光を反射し、それ以外の光を透過する特性を有する。光源から被検眼までの光学系が撮影光学系として構成されている。
【手続補正８】
【補正対象書類名】明細書
【補正対象項目名】００４０
【補正方法】変更
【補正の内容】
【００４０】
＜制御部２００＞
図３に基づいて制御部２００の詳細な構成について説明する。以下に説明される各制御部は制御部２００のコンピュータプログラムに従い制御される。
【手続補正９】
【補正対象書類名】明細書
【補正対象項目名】００４２
【補正方法】変更
【補正の内容】
【００４２】
この際に、過去に撮影された断層像の撮影位置も表示される。例えば、後述の図１０の１００３のラインや図１３の１３０９、１３１０等である。また、前眼部であれば前眼部の二次元画像が表示され、後眼部であれば眼底像が表示される。このように被検者の情報を使用することで撮影用画面の切り替えが迅速に行われる。さらに、前回の撮影の情報を簡易に利用することで過去に撮影した画像との比較も容易になる。
【手続補正１０】
【補正対象書類名】明細書
【補正対象項目名】００４５
【補正方法】変更
【補正の内容】
【００４５】
また、撮影の制限をしない場合に、第一の撮影部位（前眼部）としての前眼部の撮影の際には、被写体に起因する測定光の減衰が小さいため、コヒーレンスゲートの適切な位置を探索しなくとも良い場合がある。よって予め被検者に応じて記憶された値や標準的な被検者に対して設定された値を用いて光路長差を制御すれば、適応的に制御しなくとも画質の良い画像が得られる場合がある。標準的な被検者に対して設定された値を用いて撮像されていた場合には再度この値が初期設定され、変更されていた場合には撮影時のコヒーレンスゲートの位置が初期設定される。また、標準値と異なるコヒーレンスゲートの位置が初期設定されている場合には、ＣＧ制御部３０１は、初期値に光路長差を設定した後も制御を継続する。
【手続補正１１】
【補正対象書類名】明細書
【補正対象項目名】００５１
【補正方法】変更
【補正の内容】
【００５１】
ここで判定部３１０にはさらに、前眼部撮影の場合で初期値による光路長差の調整が適切であったか否かを判定する機能ももたせることができる。この場合判定部３１０は、第一の撮影部位について予め指定された値となるように光路長差を制御した場合に、信号処理部１９０により得られる画像データが特定の基準を満たすか否かを判定する。ＣＧ制御部３０１は、判定部３１０により特定の基準を満たさないと判定された場合に、光路長差を順次変更しつつ得られる干渉光の信号に基づいて前記光路長差を制御する。つまり、初期値により調整がうまくいかないと判定された場合にのみ、第二の撮影部位と同様の探索制御を行う。これにより、前眼部撮影の際の光路長差の調整をより確実に行うことができる。
【手続補正１２】
【補正対象書類名】明細書
【補正対象項目名】００６９
【補正方法】変更
【補正の内容】
【００６９】
ＯＣＴフォーカス制御部３０７は波長掃引型の光源からの光のフォーカス位置を制御する。ＳＬＯフォーカス制御部３０８はＳＬＯの測定光のフォーカス位置を制御する。
【手続補正１３】
【補正対象書類名】明細書
【補正対象項目名】００７５
【補正方法】変更
【補正の内容】
【００７５】
またさらに、表示制御部１９１は、必要な調整が完了し、適切な撮影が可能であるような調整状態でない場合には、撮影対象の部位の情報を表示させ、調整が不十分である場合には、撮影対象の部位の情報を表示させない制御をする。ここで、ＯＣＴ１００により撮影対象の部位の断層画像が撮影できる調整状態であるか否かの判定は判定部３１０により行う。
【手続補正１４】
【補正対象書類名】明細書
【補正対象項目名】００８３
【補正方法】変更
【補正の内容】
【００８３】
ステップＳ５０３で、調整が完了した状態で撮影指示の待機処理を行う。制御部２００は、ユーザが操作部３１２を操作し、操作部３１２から撮影指示を示す入力があるまで待機し、入力があった場合には直ちにステップＳ５０４に移り、ＯＣＴ１００が波長掃引型の光源からの光により被検眼の前記撮影対象の部位を走査することにより断層画像を撮影する。ステップＳ５０５では表示制御部１９１は撮影により得られた断層画像を表示部１９２に表示させる。もちろん、撮影時に得られたＳＬＯ画像や前眼部画像も合わせて表示させることで、複数の側面から撮影された画像により効率的かつ詳細な診断が可能となる。また、被検者情報記憶部２１１に、断層画像の撮影が行われた際の断層画像、眼底或いは前眼部の二次元像、断層像の撮像位置の情報、また、撮影部位の紹鴎、被検者ＩＤの情報，撮影時刻の情報、撮影用画面の情報、光路長差（コヒーレンスゲート）の情報、前眼撮影用の装着部材の有無の情報がそれぞれ関連付けられて記憶される。
【手続補正１５】
【補正対象書類名】明細書
【補正対象項目名】００８８
【補正方法】変更
【補正の内容】
【００８８】
ステップＳ６０１で制御部２００は、被検者情報記憶部２１１に記憶される情報に基づいて前眼部が撮影部位であるか否かを判定する。部位取得部３０２で得られる部位情報を用いて判定することも、アダプタ検出部による前眼部撮影用のアダプタが装着されているか否かにより判定することもできる。あるいはその両方を用いて判定することでより確実に撮影部位を設定することができる。前眼部撮影と判定された場合にはステップＳ６０２に進み、後眼部撮影と判定された場合にはステップＳ６１０に進む。
【手続補正１６】
【補正対象書類名】明細書
【補正対象項目名】０１０１
【補正方法】変更
【補正の内容】
【０１０１】
ステップＳ６１３では、ステップＳ６０５と同様にアラインメント調整がおこなわれる。
【手続補正１７】
【補正対象書類名】明細書
【補正対象項目名】０１２６
【補正方法】変更
【補正の内容】
【０１２６】
図８のフローチャートを用いて、連続撮影モードが指示された場合の調整処理を説明する。ステップＳ８０３乃至Ｓ８１０の各ステップの処理はそれぞれ、図６のステップＳ６０４、Ｓ６０５、Ｓ６０６、Ｓ６０７、Ｓ６０８、図５のＳ５０３、Ｓ５０４に対応する。また、ステップＳ８１３、Ｓ８１４、Ｓ８１６及びＳ８１７の各処理は、Ｓ６１４、Ｓ６１６、Ｓ５０３及びＳ５０４の各処理に対応している。
【手続補正１８】
【補正対象書類名】明細書
【補正対象項目名】０１２７
【補正方法】変更
【補正の内容】
【０１２７】
ステップＳ８０１でモード指定部３１１はユーザの操作入力に応じて連続撮影モードを指定する。ここで連続撮影モードとは、複数の撮影部位を連続して撮影するための撮影モードである。撮影対象が眼部である場合には、たとえば前眼部と後眼部の両方を撮影するための撮影モードがある。この撮影モードでは、前眼部と後眼部の一方の撮影が終了することに応じて他方の撮影準備の少なくとも一部を開始させる。この場合には撮影モードに応じて撮影用画面を自動で遷移する場合と、前眼部と後眼部の両方を撮影できる撮影用の画面を表示する場合がある。前眼部と後眼部の両方を撮影するための撮影モードにおいても、被検者情報記憶部２１１に記憶される情報に基づいて撮影用画面が設定される。
【手続補正１９】
【補正対象書類名】明細書
【補正対象項目名】０１３３
【補正方法】変更
【補正の内容】
【０１３３】
ステップＳ８１３で、ＳＬＯフォーカス制御部３０７は撮影の終了に応じてＳＬＯ１４０の測定光のフォーカス位置の調整を開始させる。ステップＳ８１４で、ＯＣＴフォーカス制御部３０７は撮影の終了に応じてＯＣＴ１００の測定光のフォーカス位置の調整を開始させる。後眼部の場合にはＯＣＴ１００による信号が微弱であるため、ＳＬＯフォーカスの位置とＯＣＴのフォーカスレンズの位置の対応関係を示すルックアップテーブルを記憶部３０９に記憶しておき、ＳＬＯのフォーカス情報に基づいてＯＣＴのフォーカス位置を制御する。
【手続補正２０】
【補正対象書類名】明細書
【補正対象項目名】０１３５
【補正方法】変更
【補正の内容】
【０１３５】
ステップＳ８１８で、解析処理部３１３は後眼部の断層画像の解析処理を行う。この処理では、網膜の各層の厚みや、黄斑浮腫等の病変の検出処理が行われる。ここで、ＧＰＵを使って解析処理を行う場合、ステップＳ８１１の解析処理の終了に応じてステップＳ８１８の解析処理を行うこととしてもよい。
【手続補正２１】
【補正対象書類名】明細書
【補正対象項目名】０１３６
【補正方法】変更
【補正の内容】
【０１３６】
ステップＳ８１９で表示制御部１９１は得られた断層画像を並べて表示する。並べて表示させることで、例えば糖尿病のように前眼部の隅角と後眼部の網膜層厚のように、両方の部位に異常が現れるような病気の診断の効率を向上させる。ここで画像表示処理を、Ｓ８１１またはＳ８１８のいずれかの解析処理が終了する前に行うこととすれば、解析処理の結果が出るまで画像による診断が可能となり、ユーザを無駄に待たせることがない。
【手続補正２２】
【補正対象書類名】明細書
【補正対象項目名】０１４０
【補正方法】変更
【補正の内容】
【０１４０】
領域９０２は、モード指定部３１１により指定された撮影モードを表示する表示領域である。前眼部撮影モードの場合として、領域９０２には「前眼部ＯＣＴ撮影モード」の文字が表示されている。あるいは文字ではなく、眼部の画像に撮影部位を強調して表示させるアイコンで撮影部位を表示させることとしてもよい。
【手続補正２３】
【補正対象書類名】明細書
【補正対象項目名】０１４９
【補正方法】変更
【補正の内容】
【０１４９】
フォーカススライダ９１０は、ＯＣＴ１００のフォーカスの位置をユーザの操作に応じて手動で調整を行うためのＧＵＩである。フォーカス調整は、ＯＣＴフォーカス制御部３０７が駆動制御部１８０を指示し、眼底に対する合焦調整を行うために、フォーカスレンズを図示の方向に移動させる。ユーザが操作部３１２を介してフォーカススライダ９１０を動かすと、動かす方向に応じてＯＣＴフォーカス制御部３０７は駆動制御部１８０を制御し、フォーカスレンズの位置を変更する。
【手続補正２４】
【補正対象書類名】明細書
【補正対象項目名】０１５２
【補正方法】変更
【補正の内容】
【０１５２】
撮像ボタン１００２は各種調整が終了したときに、このボタンを押すことで所望の撮像が行われる。そして、被検者情報記憶部２１１に、断層画像の撮影が行われた際の断層画像、前眼部の二次元像、断層像の撮像位置の情報、また、撮影部位の情報、被検者ＩＤの情報，撮影時刻の情報、撮影用画面の情報、光路長差（コヒーレンスゲート）の情報、眼撮影用の装着部材の有無の情報がそれぞれ関連付けられて記憶される。
【手続補正２５】
【補正対象書類名】明細書
【補正対象項目名】０１５５
【補正方法】変更
【補正の内容】
【０１５５】
領域９０２には「眼底ＯＣＴ撮影モード」の文字によりユーザが指定した撮影モードが表示されている。領域９０３にはＯＣＴのフォーカスが未完である旨の文字が、調整が未完であることを示す二重の枠線で囲われて表示されている。自動調整モードがＯＦＦになっていない場合のＧＵＩが開示されており、この場合、ユーザの操作性や情報の見易さを向上させるために、領域９０７にはアラインメントの調整が完了した旨の表示はさせない。
【手続補正２６】
【補正対象書類名】明細書
【補正対象項目名】０１７７
【補正方法】変更
【補正の内容】
【０１７７】
モード指定部３１１でアラインメント、フォーカス、コヒーレンスゲートの調整の自動調整がオフに指定された場合、アラインメント部として機能するステージ部２０７、図２に示すアダプタ検出部、フォーカス制御部３０７、ＣＧ制御部３０１のそれぞれに対し、制御設定部３０３は自動調整を行わないよう指示する。制御設定部３０３はさらに、複数の調整項目について個別に調整を自動で行うか否かを設定することができる。またこの際、調整が自動で行われないように制御しつつ、調整が完了しているか否かの判定自体は終了させずともよい。もちろん制御設定部３０３からの指示で判定部３１０に判定処理自体を行わせないように制御することもできる。